(57)【特許請求の範囲】
【請求項１】
リモコン信号を受信するリモコン受光器と、
地上波アナログ放送信号を受信する地上波アナログチューナーと、
地上波デジタル放送信号を受信する地上波デジタルチューナーと、
ＢＳデジタル放送信号を受信するＢＳデジタルチューナーと、
ＣＳデジタル放送信号を受信するＣＳデジタルチューナーと、
受信された前記地上波アナログ放送信号、前記地上波デジタル放送信号、前記ＢＳデジタル放送信号及び前記ＣＳデジタル放送信号を解析して信号有無を判定する無信号確認処理部と、
前記無信号確認処理部の判定結果に応じて、信号有りと判定された放送信号のみを動作可能なアプリケーションとして設定し、前記リモコン信号として前記信号有りと判定された放送信号に対応するキーを押下したことを示すリモコン信号を受信した場合、前記信号有りと判定された放送信号に対応するアプリケーションを動作させるアプリケーション処理部と、を備え、
前記アプリケーション処理部は、前記無信号確認処理部から前記地上波アナログ放送信号が無いことを示す判定結果を取得した場合において前記リモコン受光器が前記リモコン信号として地上波アナログキーを押下したことを示すリモコン信号を受信した場合、前記地上波アナログ放送信号に対応するアプリケーションを動作させずにエラーメッセージを表示させる、ことを特徴とする放送受信装置。
【発明の詳細な説明】
【技術分野】
【０００１】
本発明は、近い将来放送終了が事前に決定している放送チューナーを内蔵する放送受信装置において放送終了後のユーザーによる操作性の向上を目的としたものである。
【背景技術】
【０００２】
従来の地上波アナログ放送終了に備えた放送受信装置においては、アナアナ変換により周波数が移行され或るポジションに対応付けられていたチャンネルで放送が受信できなくなったとき（当該チャンネルが無効になったとき）、ユーザーはメニュー画面からチャンネル設定画面を呼び出さなくてもリモコンの操作でアナログＣＨ変換を行いポジションに移行先のチャンネルを見つけ出してチャンネル変更設定を行っていた。
【０００３】
（例えば、特許文献１参照）。図１３は、前記特許文献１に記載された従来の放送受信装置である。
【０００４】
図１３おいて、地上波アンテナ９０１で受信した電波を選局、復調、誤り訂正を行いトランスポートストリームを出力する地上波デジタルチューナー９０２と、地上波アンテナ９０１で受信して選局を行う地上波アナログチューナー９０５と、地上波デジタルチューナー９０２から受けとったトランスポートストリームをビデオストリームとオーディオストリームとＰＳＩ／ＳＩ（Ｐｒｏｇｒａｍ・Ｓｐｅｃｉｆｉｃ・Ｉｎｆｏｒｍａｔｉｏｎ／Ｓｅｒｖｉｃｅ・Ｉｎｆｏｒｍａｔｉｏｎ）に分離するＤＥＭＵＸ９０６とＤＥＭＵＸ９０６で分離したＭＰＥＧ２（Ｍｏｖｉｎｇ  Ｐｉｃｔｕｒｅ  Ｅｘｐｅｒｔｓ  Ｇｒｏｕｐ２）のビデオストリームとオーディオストリームをデコードするＡＶデコーダー９０７と、ＤＥＭＵＸ９０６で分離されたＰＳＩ／ＳＩに含まれるサービス情報の供給制御や地上波デジタルチューナー９０２の選局制御や第１メモリ（ＲＡＭ，ＲＯＭ，ＥＥＰＲＯＭ等）９１３における情報の書込／読出の制御やＤＥＭＵＸ９０６の制御やＡＶデコーダー９０７に対する制御やメニューや番組表などの画面描画処理を行うＯＳＤ（オンスクリーンディスプレイ）回路９１１に対する制御やＡＶデコーダー９０７に対する制御やサブＣＰＵ９２０に対する制御を行うメインＣＰＵ９１２と、ユーザーによる入力操作を行うリモコン送信機９１８によるリモートコントロール信号をリモコン受光器９１９で受光しメインＣＰＵ９１２へ通知しメインＣＰＵ９１２からの指令を実行する処理や地上波アナログチューナー９０５に対する制御を行う他、受信チャンネルにおいて検波後の映像信号に水平同期信号が一定値以上含まれているかどうか等で地上波アナログ放送の有無／無局判定処理も行うサブＣＰＵ９２０と、サブＣＰＵ９２０の処理によって地上波アナログ放送における個別設定情報を格納する第２メモリ（ＥＥＰＲＯＭ等）９１７と、地上波アナログチューナー９０５から供給された受信信号を復調して映像信号及び音声信号を生成する映像音声処理部９０８と、ＯＳＤ回路９１１から出力した映像信号とＡＶデコーダー９０７でデコードした映像データを供給し映像処理回路９０９で出力した映像信号（Ｒ，Ｇ，Ｂ信号及び垂直・水平同期信号）を加算しドライブ回路９１４に供給した映像表示を行う受像管９１５と、ＡＶデコーダー９０７でデコードした音声データを供給しＤ／Ａ変換を行ってアナログ音声信号を生成する音声処理回路９１０と、音声処理回路９１０からの音声を出力するスピーカ９１６で構成されていた。
【特許文献１】特開２００４−３１２４４６号公報
【発明の開示】
【発明が解決しようとする課題】
【０００５】
しかしながら、前記従来の構成では、地上波アナログ放送から地上波デジタル放送への移行に伴う地上波アナログ放送のアナログ周波数の変換（アナーアナ変換）を容易にはするが、地上波アナログ放送が終了後、操作不要な設定や調整項目やアプリケーションの項目がそのまま残ってしまい操作が煩わしいという課題を有していた。
【０００６】
本発明は、前記従来の課題を解決するもので、地上波アナログ放送のような近い将来放送の終了が予め決定しているときに放送終了後のユーザーによる操作性を改善する放送受信装置を提供することを目的とする。
【課題を解決するための手段】
【０００７】
前記従来の課題を解決するために、本発明の放送受信装置は、近い将来放送終了が決定している地上波アナログ放送のなどの放送ネットワークを含む放送受信装置において、放送が終了した時点でその放送ネットワークをユーザー操作等で把握し、終了して不要になった放送ネットワークに関する設定や調整等のメニュー項目を自動でメニューから削除する機能を有している。
【０００８】
本構成によって、放送終了後の操作性を改善する。
【０００９】
また、本発明の放送受信装置は、終了した放送ネットワークについて不要になったアプリケーションについても操作対象から外す機能を備えたものである。
【発明の効果】
【００１０】
本発明の放送受信装置によれば、近い将来放送終了が決定している地上波アナログ放送などの放送ネットワークの受信機能を備えた放送受信装置において、放送終了後のユーザーによる操作性を改善することができる。
【発明を実施するための最良の形態】
【００１１】
以下本発明を実施するための最良の形態について、図面を参照しながら説明する。
【００１２】
（実施の形態１）
図１は、本発明の実施の形態１におけるディジタル・アナログ放送受信装置のブロック図である。図１において、図１３と同じ構成要素については同じ符号を用い、説明を省略する。
【００１３】
図１において、衛星デジタル放送の受信は衛星デジタル用受信アンテナ１０６で行い、ＢＳデジタルチューナー１０４やＣＳデジタルチューナー１０５で各デジタルのデコードを行う。また、メインＣＰＵ９１２内に構成する各放送ネットワーク無信号確認処理部１０１は現在受信中の放送ネットワーク信号の検出を行い、その検出結果を元に受信ネットワークメニュー処理部１０２でメニューの中から放送が終了した不要なネットワークについてのメニュー項目を削除したメニューを生成し、受信ネットワークアプリケーション処理部１０３では各放送ネットワーク無信号確認処理部１０１の検出結果を元にアプリケーションの遷移の中から放送が終了した不要なネットワークに関するアプリケーションを削除した遷移を行う。
【００１４】
図２は、本発明の実施の形態１における各放送ネットワーク無信号確認処理部のフローチャート図である。
【００１５】
図２において、各ネットワーク無信号フラグをＯＦＦに設定して初期化を行い（ステップＳ１）、地上波アナログの全チャンネルにおいて無信号かどうかの判定を行い（ステップＳ２）、もし地上波アナログが無信号であれば地上波アナログ無信号フラグにＯＮを設定し（ステップ３）、次に地上波デジタルの全チャンネルにおいて無信号かどうかの判定を行い（ステップ４）、もし地上波デジタルが無信号であれば地上波デジタル無信号フラグにＯＮを設定し（ステップＳ５）、次にＢＳデジタルの全チャンネルにおいて無信号かどうかの判定を行い（ステップ６）、もしＢＳデジタルが無信号であればＢＳデジタル無信号フラグにＯＮを設定し（ステップ７）、次にＣＳデジタルの全チャンネルにおいて無信号かどうかの判定を行い（ステップ８）、もしＣＳデジタルが無信号であればＣＳデジタル無信号フラグにＯＮを設定する（ステップ９）。Ｓ２とＳ４とＳ６とＳ８の判定は自動で検出するかまたはユーザー操作による手動の設定等で判定するものとする。
【００１６】
図３は、本発明の実施の形態１における受信ネットワークメニュー処理部のブロック図である。
【００１７】
図４は本発明の実施の形態１における受信ネットワークメニュー処理部のフローチャートである。
【００１８】
図３の処理について、図１と図４を中心に説明する。図１の各放送ネットワーク無信号確認処理１０１で設定した各ネットワークにおける無信号フラグについて、図４で地上波アナログ無信号フラグがＯＮに設定されているかを判断（ステップＳ１０）し、ＯＮに設定されているときは図３の地上波アナログメニュー作成部２０４で地上波アナログ用のメニューを作成して受信ネットワークメニュー合成部２０５に合成する（図４ステップＳ１１）。そして、地上波デジタル無信号フラグがＯＮに設定されているかを判断（図４ステップＳ１２）し、ＯＮに設定されているときは図３の地上波デジタルメニュー作成部２０１で地上波デジタル用のメニューを作成し受信ネットワークメニュー合成部２０５に合成する（図４ステップ１３）。そして、ＢＳデジタル無信号フラグがＯＮに設定されているかを判断（図４ステップＳ１４）し、ＯＮに設定されているときは図３のＢＳデジタルメニュー作成部２０２でＢＳデジタル用のメニューを作成し受信ネットワークメニュー合成部２０５に合成し（図４ステップ１５）、そして、ＣＳデジタル無信号フラグがＯＮに設定されているかを判断し（図４ステップ１６）、ＯＮに設定されているときは図３のＣＳデジタルメニュー作成部２０３でＣＳデジタル用メニューを作成し受信ネットワークメニュー合成部２０５に合成する（図４ステップ１７）。
【００１９】
図５は、本発明の実施の形態１における地上波アナログ放送終了前のチャンネル設定メニュー表示例の画面である。
【００２０】
図５において、地上波アナログ放送終了前に図１の受信ネットワークメニュー処理部１０２による処理結果の例であり、ＴＶ画面３０１中に地上波アナログ放送終了前のチャンネル設定操作メニュー３０２のように地上波アナログを含めた５種類のネットワークについてのチャンネル設定の操作が行える。
【００２１】
図６は、本発明の実施の形態１における地上波アナログ放送終了後のチャンネル設定メニュー表示例の画面である。
【００２２】
図６において、地上波アナログ放送終了後のチャンネル設定操作メニュー４０１のように表示され、終了した地上波アナログ放送以外のネットワークのチャンネル設定について操作を行うことができ、設定が不能な地上波アナログ放送は削除される。
【００２３】
図７は、本発明の実施の形態１における地上波アナログ放送終了前の地上波アナログチャンネル設定画面である。
【００２４】
図７において、地上波アナログ放送終了前の地上波アナログチャンネル設定画面５０１であり、図５の地上波アナログ放送終了前のチャンネル設定操作メニュー３０２の地上波アナログメニュー項目を選択すると表示される画面であり、地上波アナログ用のチャンネルの設定を行うためのものである。
【００２５】
かかる構成によれば、受信中のネットワークについての設定や調整項目についてのみ合成されることになり、放送終了後のネットワークについては合成されないため不要なネットワークは削除されユーザーによる複雑な操作を軽減することができる。
【００２６】
（実施の形態２）
図８は、本発明の実施の形態２における受信ネットワークアプリケーション処理部のブロック図である。
【００２７】
図８において、図１の各放送ネットワーク無信号確認処理部１０１で設定される各ネットワークの無信号フラグにより、受信ネットワークアプリケーション処理部６０５で各ネットワークへの切り換え制御を行う。地上波デジタル無信号フラグがＯＦＦであるときのみ地上波デジタルアプリケーション処理部６０１とリンクを行い、また、ＢＳデジタル無信号フラグがＯＦＦであるときのみＢＳデジタルアプリケーション処理部６０２とのリンクを行い、また、ＣＳデジタル無信号フラグがＯＦＦであるときのみＣＳデジタルアプリケーション処理部６０３とのリンクを行い、また、地上波アナログ無心号フラグがＯＦＦであるときのみ地上波アナログアプリケーション処理部６０４とのリンクを行う。以上のように、放送ネットワークの無信号フラグがＯＮであれば、受信ネットワークアプリケーション処理部６０５にリンクされない。
【００２８】
図９は、本発明の実施の形態２における地上波アナログ放送終了前のリモコン操作による番組表の切換り遷移図の例である。
【００２９】
図９において、ユーザーによるリモコン操作で「番組表」ボタンを押下したとき、受信中のネットワークの番組表を表示する。受信中のネットワークの対象は、地上波アナログ、もしくは地上波デジタル、もしくはＢＳデジタル、もしくはＣＳデジタルとなる。また、現在受信中のネットワークの番組表を表示した状態で、各ネットワークのリモコンキー操作により別のネットワークの番組表に切り換える。例えば、地上波デジタル番組表を表示中にリモコンの「地上波アナログ」ボタンを押下すると、地上波アナログ番組表を表示する。
【００３０】
図１１は、本発明の実施の形態２における地上波アナログ放送終了前の地上波アナログ番組表の表示例の画面である。
【００３１】
図１１において、図９の遷移の中で表示された地上波アナログ番組表画面７０１である。
【００３２】
地上波デジタル番組表やＢＳデジタル番組表やＣＳデジタル番組表においても同様のレイアウトとなるので省略する。
【００３３】
図１０は、本発明の実施の形態２における地上波アナログ放送終了後のリモコン操作による番組表の切換り遷移図の例である。
【００３４】
図１０において、ユーザーによるリモコン操作で「番組表」ボタンを押下したとき、受信中のネットワークの番組表を表示する。地上波アナログが終了したため、地上波アナログ無信号フラグのみＯＮとなるため地上波アナログ以外のネットワークである、地上波デジタル、もしくはＢＳデジタル、もしくはＣＳデジタルが対象となる。また、現在受信中のネットワークの番組表を表示した状態で、各ネットワークのリモコンキー操作により別のネットワークの番組表に切り換えるが、既に終了した「地上波アナログ」キーを押下した場合は何も変化しないか、もしくは、エラーメッセージを表示する。
【産業上の利用可能性】
【００３５】
本発明にかかる放送受信装置は、予め放送終了が決定している地上波アナログ放送のような放送が終了したあと、不要になった放送ネットワークに関するメニュー操作や、アプリケーションの切り換え操作などを省くことができ操作性を改善することができ有用である。
【図面の簡単な説明】
【００３６】
【図１】本発明の実施の形態１におけるディジタル・アナログ放送受信装置のブロック図
【図２】本発明の実施の形態１における各放送ネットワーク無信号確認処理のフローチャート
【図３】本発明の実施の形態１における受信ネットワークメニュー処理部のブロック図
【図４】本発明の実施の形態１における受信ネットワークメニュー処理部のフローチャート
【図５】本発明の実施の形態１における地上波アナログ放送終了前のチャンネル設定メニュー表示例の画面を示す図
【図６】本発明の実施の形態１における地上波アナログ放送終了後のチャンネル設定メニュー表示例の画面を示す図
【図７】本発明の実施の形態１における地上波アナログ放送終了前の地上波アナログチャンネル設定画面を示す図
【図８】本発明の実施の形態２における受信ネットワークアプリケーション処理部のブロック図
【図９】本発明の実施の形態２における地上波アナログ放送終了前のリモコン操作による番組表の切換り遷移図の例を示す図
【図１０】本発明の実施の形態２における地上波アナログ放送終了後のリモコン操作による番組表の切換り遷移図の例を示す図
【図１１】本発明の実施の形態２における地上波アナログ放送終了前の地上波アナログ番組表の表示例の画面を示す図
【図１２】本発明の実施の形態２におけるＢＳデジタル放送終了前のＢＳデジタル番組表の表示例の画面を示す図
【図１３】従来の形態におけるディジタル・アナログ放送受信装置のブロック図
【符号の説明】
【００３７】
１０１    各放送ネットワーク無信号確認処理部
１０２    受信ネットワークメニュー処理部
１０３    受信ネットワークアプリケーション処理部
１０４    ＢＳデジタルチューナー
１０５    ＣＳデジタルチューナー
１０６    衛星デジタル受信用アンテナ
２０１    地上波デジタルメニュー作成部
２０２    ＢＳデジタルメニュー作成部
２０３    ＣＳデジタルメニュー作成部
２０４    地上波アナログメニュー作成部
２０５    受信ネットワークメニュー合成部
３０１    ＴＶ画面
３０２    地上波アナログ放送終了前のチャンネル設定操作メニュー
４０１    地上波アナログ放送終了後のチャンネル設定操作メニュー
５０１    地上波アナログ放送終了前の地上波アナログチャンネル設定画面
６０１    地上波デジタルアプリケーション処理部
６０２    ＢＳデジタルアプリケーション処理部
６０３    ＣＳデジタルアプリケーション処理部
６０４    地上波アナログアプリケーション処理部
６０５    受信ネットワークアプリケーション処理部
７０１    地上波アナログ番組表画面
９０１    地上波アンテナ
９０２    地上波デジタルチューナー
９０５    地上波アナログチューナー
９０６    デマルチプレクサ（ＤＥＭＵＸ）
９０７    ＡＶデコーダー
９０８    映像音声処理部
９０９    映像処理回路
９１０    音声処理回路
９１１    ＯＳＤ回路
９１２    メインＣＰＵ
９１３    第１メモリ
９１４    ドライブ回路
９１５    受像管
９１６    スピーカ
９１７    第２メモリ
９１８    リモコン送信機
９１９    リモコン受光器
９２０    サブＣＰＵ
【図１】
0004730110.tif 000002
【図２】
0004730110.tif 000003
【図３】
0004730110.tif 000004
【図４】
0004730110.tif 000005
【図５】
0004730110.tif 000006
【図６】
0004730110.tif 000007
【図７】
0004730110.tif 000008
【図８】
0004730110.tif 000009
【図９】
0004730110.tif 000010
【図１０】
0004730110.tif 000011
【図１１】
0004730110.tif 000012
【図１２】
0004730110.tif 000013
【図１３】
0004730110.tif 000014